(57)【要約】【課題】吸盤によって長期間に亘って安定に取り付けることができる額縁を提供する。【解決手段】収納物を載せ置く載置面をもつ台座１０２ａと、台座１０２ａの周囲を囲み、台座１０２ａの周囲から離れるにしたがって載置面側に突出する第１面部１０と、第１面部１０から連続的に載置面の反対側に向かう第３面部１６とを備える枠１０２ｂと、載置面の反対側に取付けられた吸盤１０６と、を備え、載置面の反対側において吸盤の縁１０６ａより第３面部１６の端部１６ａが突出している額縁１００とする。【選択図】図２
2017038645.tif 000002
【特許請求の範囲】
【請求項１】
収納物を載せ置く載置面をもつ台座と、
前記台座の周囲を囲み、前記台座の周囲から離れるにしたがって前記載置面側に突出する第１面と、前記第１面から連続的に前記載置面の反対側に向かう第２面と、を備える外枠と、
前記載置面の反対側に取り付けられた吸盤と、
を備え、
前記載置面の反対側において前記吸盤の縁より前記第２面の端部が突出していることを特徴とする額縁。
【請求項２】
請求項１に記載の額縁であって、
前記台座は、前記載置面の少なくとも一部の高さを変更するための表面形状変形領域を備えることを特徴とする額縁。
【請求項３】
請求項２に記載の額縁であって、
前記台座は、前記載置面の変更される高さ毎に前記表面形状変形領域を備えることを特徴とする額縁。
【請求項４】
請求項１に記載の額縁であって、
前記台座は、前記外枠に固定された第１部分と、前記第１部分に対して相対的に移動可能な第２部分と、前記第１部分と前記第２部分とを接続する弾性部と、を含んで構成され、
前記弾性部の弾性により前記第２部分が前記載置面の高さ方向に付勢されていることを特徴とする額縁。
【発明の詳細な説明】
【技術分野】
【０００１】
本発明は、写真や絵画等を収納するための額縁に関する。
【背景技術】
【０００２】
写真や絵画等を収納し、外部からの衝撃等から保護すると共に、収納物を修飾するために額縁が用いられている。
【０００３】
例えば、本体部と枠との間に溝を設け、その溝に写真や絵画等の縁を挿し入れて収納する額縁が開示されている（特許文献１）。また、一枚のシート材を折り曲げて枠を形成することにより、枠部内を収納部とする額縁が開示されている（特許文献２）。
【先行技術文献】
【特許文献】
【０００４】
【特許文献１】特開２００７−０９７８５５号公報
【特許文献２】特開２０１３−９９４５４号公報
【発明の概要】
【発明が解決しようとする課題】
【０００５】
ところで、従来の額縁は金属や木材等の比重の大きな材料で構成されており、釘等によって壁に固定される。一方、プラスチックや紙等の比重の小さい材料で構成された額縁は吸盤等によって壁に固定することができるが、長期間に亘って十分な吸着力を維持できることが望まれている。
【０００６】
また、従来の額縁では、枠の厚みと写真や絵画等の収納物の厚みとの差を吸収するために収納物の裏側に裏板を挿入して高さを調整している。しかしながら、収納物の厚みに合わせて様々な厚さの裏板を準備することが必要であり、ユーザにとって負担であり、裏板の要らない額縁が望まれている。
【課題を解決するための手段】
【０００７】
本発明の１つの態様は、収納物を載せ置く載置面をもつ台座と、前記台座の周囲を囲み、前記台座の周囲から離れるにしたがって前記載置面側に突出する第１面と、前記第１面から連続的に前記載置面の反対側に向かう第２面と、を備える外枠と、前記載置面の反対側に取り付けられた吸盤と、を備え、前記載置面の反対側において前記吸盤の縁より前記第２面の端部が突出していることを特徴とする額縁である。
【０００８】
ここで、前記台座は、前記載置面の少なくとも一部の高さを変更するための表面形状変形領域を備えることが好適である。
【０００９】
また、前記台座は、前記載置面の変更される高さ毎に前記表面形状変形領域を備えることが好適である。
【００１０】
また、前記台座は、前記外枠に固定された第１部分と、前記第１部分に対して相対的に移動可能な第２部分と、前記第１部分と前記第２部分とを接続する弾性部と、を含んで構成され、前記弾性部の弾性により前記第２部分が前記載置面の高さ方向に付勢されていることが好適である。
【発明の効果】
【００１１】
本発明によれば、吸盤によって長期間に亘って安定に取り付けることができる額縁を提供することができる。
【図面の簡単な説明】
【００１２】
【図１】本発明の実施の形態における額縁の構成を示す斜視図である。
【図２】本発明の実施の形態における額縁の構成を示す断面図である。
【図３】本発明の実施の形態における額縁の使用状態を説明する断面図である。
【図４】本発明の実施の形態における額縁の構成を示す断面図である。
【図５】本発明の実施の形態における額縁の使用状態を説明する断面図である。
【図６】本発明の実施の形態における額縁の別例の構成を示す斜視図である。
【図７】本発明の実施の形態における額縁の別例の構成を示す斜視図である。
【図８】本発明の実施の形態における額縁の別例の使用状態を説明する断面図である。
【図９】本発明の実施の形態における額縁の別例の構成を示す斜視図である。
【図１０】本発明の実施の形態における額縁の別例の構成を示す断面図である。
【図１１】本発明の実施の形態における額縁の別例の使用状態を説明する断面図である。
【発明を実施するための形態】
【００１３】
本発明の実施の形態における額縁１００は、図１の斜視図及び図２の断面図に示すように、本体１０２及びカバー１０４から構成される。なお、図２は、図１のラインＡ−Ａに沿った断面図である。
【００１４】
本体１０２は、台座１０２ａとその周囲を囲む枠（外枠）１０２ｂから構成される。本体１０２は、台座１０２ａ及び枠１０２ｂによって構成される箱状の空間に写真や絵画等の収容物を収めて保持する。本体１０２は、写真や絵画等の収容物を保持するために十分な機械的強度を有する材料から構成される。本体１０２は、例えば、ポリエチレン、ポリカーボネイト等のプラスチック、アルミニウム、銅等の金属で構成することが好適である。ただし、額縁１００を軽量化するためには、本体１０２は、金属や木材よりも比重が小さいプラスチックシートを成型して構成することが好適である。
【００１５】
台座１０２ａは、略平板状の構成部分であり、写真や絵画等のシート状の収容物をその裏面側から支持する。
【００１６】
枠１０２ｂは、台座１０２ａの周囲を囲む構成部材である。枠１０２ｂは、台座１０２ａの周辺部から外に向かって、第１面部１０、突出部１２、第２面部１４、第３面部１６から構成される。
【００１７】
第１面部１０は、台座１０２ａの周辺部から額縁１００の表側に立ち上がる部分である。第１面部１０によって、収容物の周辺を取り囲む縁が構成され、台座１０２ａと共に収容物を収納する箱状の空間が形成される。突出部１２は、第１面部１０から本体１０２の内側に向けて突出した部分である。突出部１２は、収納された収容物が本体１０２から容易に外れてしまわないようにするために設けられる。第２面部１４は、突出部１２と第３面部１６とを繋ぐ部分である。本実施の形態では、第２面部１４は、台座１０２ａに対して略並行な平面で構成したが、曲面であってもよい。第３面部１６は、第２面部１４から本体１０２の裏面側、すなわち収容物の載置面と反対側に向かう部分である。第３面部１６は、本体１０２の外側に向けて第２面部１４から台座１０２ａに対して傾斜するように設けられる。
【００１８】
カバー１０４は、透光性を有する平板状の部材である。カバー１０４は、本体１０２内に収められた写真や絵画等の収容物の表面を保護するように台座１０２ａ及び枠１０２ｂによって構成される箱状の空間に嵌め込まれる。カバー１０４は、プラスチック板、ガラス板等によって構成することができる。なお、収容物が十分な固さを持っている場合にはカバー１０４は設けなくてもよい。
【００１９】
台座１０２ａには、吸盤１０６を装着する凹部２０（２０ａ，２０ｂ）が設けられる。吸盤１０６は、台座１０２ａの裏面側（収容物に面しない側）の凹部２０に取り付けられる。吸盤１０６を設けることによって、吸盤１０６の吸着力を利用して額縁１００を壁や鏡等に取り付けることができる。
【００２０】
ここで、本実施の形態における額縁１００では、図２に示すように、第３面部１６の端部１６ａが吸盤１０６の吸着面の端部１０６ａよりも高さＨだけ台座１０２ａの裏面側に突出するように構成することが好適である。
【００２１】
当該構成によって、図３に示すように、吸盤１０６を用いて額縁１００を壁２００等に取り付けた状態において、第３面部１６の端部１６ａが壁２００に押し付けられて第３面部１６が湾曲した状態となり、第３面部１６の弾性により壁２００から離れる方向（図３中、破線矢印方向）に額縁１００が付勢される。これによって、吸盤１０６は壁２００から引き上げられる方向に引っ張られ、吸盤１０６の吸着面と壁２００との間の空間内の気圧がより下がり、吸盤１０６の吸着力が増加し、額縁１００を壁２００により強く取り付けることができる。
【００２２】
なお、本実施の形態における額縁１００では、凹部２０を２箇所に設けたがこれに限定されるものではなく、１箇所又は３箇所以上に凹部２０を設ける構成としてもよい。
【００２３】
また、凹部２０は、吸盤１０６を装着する以外にも画鋲等で額縁１００を取り付ける際にも利用することができる。すなわち、吸盤１０６を取り付けず、凹部２０の窪み内に台座１０２ａの表面側から裏面側に向けて画鋲を差し込んで壁等に額縁１００を取り付けてもよい。
【００２４】
また、本実施の形態における額縁１００では、高さ調整用の凹部２２〜２６（２２ａ〜２２ｄ、２４ａ〜２４ｄ、２６ａ〜２６ｄ）が設けられる。図４の断面図（図１のラインＢ−Ｂに沿った断面）に示すように、凹部２２、凹部２４及び凹部２６は、それぞれ異なる深さとする。
【００２５】
凹部２２〜２６は、収納物の載置面となる台座１０２ａの高さを変更するために用いることができる。収容物が厚い場合、凹部２２〜２６は、台座１０２ａの表面から窪んだ状態のまま額縁１００を使用する。収容物が薄い場合、図５（ａ）及び図５（ｂ）に示すように、収容物２０２の厚みに応じて凹部２２〜２６のいずれかを台座１０２ａの表側に向けて押し込んで台座１０２ａの表面側に突出させた状態とする。
【００２６】
例えば、凹部２２ａ〜２２ｄの深さを８ｍｍ、凹部２４ａ〜２４ｄの深さを６ｍｍ、凹部２６ａ〜２６ｄの深さを４ｍｍとする。このとき、凹部２２ａ〜２２ｄを台座１０２ａの表側に突出させれば８ｍｍの高さ調整ができる。また、凹部２４ａ〜２４ｄを台座１０２ａの表側に突出させれば６ｍｍの高さ調整ができる。また、凹部２６ａ〜２６ｄを台座１０２ａの表側に突出させれば４ｍｍの高さ調整ができる。このように、凹部２２〜２６を設けることにより、厚さの異なる収容物２０２に対応できる額縁１００を提供することができる。
【００２７】
ここで、凹部２２〜２６のそれぞれには窪みの深さ、すなわち調整できる高さを示す数値を付しておくことが好適である。これにより、ユーザは、凹部２２〜２６のどれを使用すればどの程度の高さを調整できるのかを容易に把握することができる。
【００２８】
なお、本実施の形態では、３つの異なる高さ調整用の凹部２２〜２６を設けたが、これに限定されるものではなく、１つ以上の凹部を設ければよい。また、凹部２２〜２６は、台座１０２ａの４隅に配置したが、これに限定されるものではなく、台座１０２ａ上であれば配置位置は適宜変更してもよい。
【００２９】
また、本実施の形態では、凹部２２〜２６を設けて高さを調整することを可能としたが、図６に示すように、凸部３２〜３６を設けて高さを調整することを可能としてもよい。この場合、凹部２２〜２６を設けた場合とは逆に、収容物が薄い場合、凸部３２〜３６は、台座１０２ａの表面から突出した状態のまま額縁１００を使用する。収容物が厚い場合、収容物の厚みに応じて凸部３２〜３６のいずれかを台座１０２ａの裏側に向けて押し込んで台座１０２ａの裏面側に突出させた状態として高さを調整する。
【００３０】
なお、本実施の形態では、３つの異なる高さ調整用の凸部３２〜３６を設けたが、これに限定されるものではなく、１つ以上の凸部を設ければよい。また、凸部３２〜３６は、台座１０２ａの４隅に配置したが、これに限定されるものではなく、台座１０２ａ上であれば配置位置は適宜変更してもよい。
【００３１】
ここで、凸部３２〜３６のそれぞれには調整できる高さを示す数値を付しておくことが好適である。これにより、ユーザは、凸部３２〜３６のどれを使用すればどの程度の高さを調整できるのかを容易に把握することができる。
【００３２】
また、図７に示すように、蛇腹状の高さ調整部３８を設けて高さを調整することを可能としてもよい。例えば、図８（ａ）に示すように、収容物２０２が薄い場合には調整部３８を用いることなく額縁１００を用いる。一方、収容物２０２が厚い場合、図８（ｂ）及び図８（ｃ）に示すように、収容物２０２の厚さに応じて蛇腹を伸縮させて高さを調整することができる。例えば、調整部３８を１ｍｍのピッチＰで設けることによって、１ｍｍ単位で台座１０２ａの高さを調整することができる。
【００３３】
また、図９の斜視図及び図１０の断面図（図９のラインＣ−Ｃに沿った断面）に示すように、枠１０２ｂに固定された第１部分４０と、第１部分４０にバネ部４４を介して接続された第２部分４２と、に台座１０２ａを分割した構成としてもよい。第２部分４２は、バネ部４４の弾性によって第１部分４０に対して相対的に上下方向（収容物の厚さ方向）に移動可能であると共に、台座１０２ａの表側（収容物と面する側）に向けて付勢される。
【００３４】
このような構成では、図１１（ａ）に示すように、収容物２０２が薄い場合にはバネ部４４の弾性によって第２部分４２が第１部分４０に対して上方向（収容物２０２と面する方向）に持ち上げられ、収容物２０２がカバー１０４へ押し付けられる。一方、図１１（ｂ）に示すように、収容物２０２が厚い場合にはバネ部４４が第１部分４０に対して下方向（収容物２０２と面さない方向）に退避させられ、第２部分４２と共に収容物２０２が下方向に押し下げられる。このように、本構成によっても収容物２０２の厚さの違いを吸収しつつ、収容物２０２が額縁１００内でずれないように保持することができる。
【００３５】
なお、第１部分４０、第２部分４２及びバネ部４４の具体的な構成に限定されるものでなく、弾性部によって台座１０２ａの一部が上下方向に移動可能であり、その一部が台座１０２ａの表側（収容物と面する側）に向けて付勢されていればよい。
【符号の説明】
【００３６】
１０  第１面部、１２  突出部、１４  第２面部、１６  第３面部、１６ａ  端部、２０（２０ａ，２０ｂ）  凹部、２２（２２ａ−２２ｄ）  凹部、２４（２４ａ−２４ｄ）  凹部、２６（２６ａ−２６ｄ）  凹部、３８  調整部、４０  第１部分、４２  第２部分、４４  バネ部、１００  額縁、１０２  本体、１０２ａ  台座、１０２ｂ  枠、１０４  カバー、１０６  吸盤、１０６ａ  端部、２００  壁、２０２  収容物。
【図１】
2017038645.tif 000003
【図２】
2017038645.tif 000004
【図３】
2017038645.tif 000005
【図４】
2017038645.tif 000006
【図５】
2017038645.tif 000007
【図６】
2017038645.tif 000008
【図７】
2017038645.tif 000009
【図８】
2017038645.tif 000010
【図９】
2017038645.tif 000011
【図１０】
2017038645.tif 000012
【図１１】
2017038645.tif 000013